(57)【要約】      （修正有）【課題】肌の各部の吸収促進処理をより効果的に行うことができる、経皮吸収促進器具を提供する。【解決手段】肌に貼り付けることが可能なシート部材２１０と、シート部材に配置され、近傍の肌の状態をそれぞれ検出する、複数の肌状態センサ２２０１〜２２０Ｍと、シート部材に配置された複数の経皮吸収促進素子２３０１〜２３０Ｍと、を含み、複数の経皮吸収促進素子の各々は、複数の肌状態センサに含まれる一または複数の肌状態センサに対応し、複数の経皮吸収促進素子の各々は、一または複数の対応する肌状態センサの検出情報に基づいて動作する経皮吸収促進器具１００。【選択図】図１
2015142718.tif 000002
【特許請求の範囲】
【請求項１】
肌に貼り付けることが可能なシート部材と、
前記シート部材に配置され、近傍の前記肌の状態をそれぞれ検出する、複数の肌状態センサと、
前記シート部材に配置された複数の経皮吸収促進素子と、を含み、
前記複数の経皮吸収促進素子の各々は、前記複数の肌状態センサに含まれる一または複数の肌状態センサに対応し、
前記複数の経皮吸収促進素子の各々は、一または複数の対応する肌状態センサの検出情報に基づいて動作する、
経皮吸収促進器具。
【請求項２】
前記経皮吸収促進素子は、
前記経皮吸収促進素子の近傍の肌に対して、イオントフォレシスおよびエレクトロポレーションのうち少なくとも１つを含む吸収促進処理の動作を行う素子である、
請求項１に記載の経皮吸収促進器具。
【請求項３】
動作決定部を更に含み、
前記シート部材は、複数の分割領域を含み、
前記複数の分割領域の各々は、前記複数の経皮吸収促進素子に含まれる一または複数の経皮吸収促進素子と、前記複数の肌状態センサに含まれる一または複数の肌状態センサとを含み、
前記動作決定部は前記分割領域毎に、当該分割領域に含まれる一または複数の肌状態センサの検出情報に基づいて、当該分割領域に含まれる一または複数の経皮吸収促進素子が吸収促進処理を行うか否かを決定する、
請求項２に記載の経皮吸収促進器具。
【請求項４】
前記シート部材は、前記動作決定部とコネクタおよびケーブルで着脱可能に接続された、
請求項３に記載の経皮吸収促進器具。
【請求項５】
前記肌状態センサは、
前記肌状態センサの近傍の前記肌の色調を検出し、
前記動作決定部は、
前記複数の肌状態センサの検出結果に基づいて、前記複数の分割領域のうち、前記肌の色が他の領域に比べて濃い領域を判定し、判定された領域に対応する前記分割領域を、前記吸収促進処理を行う前記分割領域に決定する、
請求項４に記載の経皮吸収促進器具。
【請求項６】
前記肌状態センサは、
前記肌状態センサの近傍の前記肌の水分量を検出し、
前記動作決定部は、
前記複数の肌状態センサの検出結果に基づいて、前記複数の分割領域のうち、前記肌の水分量が他の領域に比べて少ない領域を判定し、判定された領域に対応する前記分割領域を、前記吸収促進処理を行う前記分割領域に決定する、
請求項４に記載の経皮吸収促進器具。
【請求項７】
前記シート部材は、前記分割領域毎に複数の発光素子を備え、
前記シート部材は、
外側面に塗布された美容薬剤を内側面に送り込む孔部、を有し、
前記動作決定部は、
前記吸収促進処理を行う分割領域に配置された発光素子を発光させる、
請求項３に記載の経皮吸収促進器具。
【請求項８】
美容薬剤を収容するタンクと、
前記タンクに収容された前記美容薬剤を前記シート部材に供給するポンプと、を有し、
前記シート部材は、
前記ポンプによって供給された前記美容薬剤を前記複数の経皮吸収促進素子のそれぞれに供給するパイプと、
前記分割領域毎に、前記パイプによる前記美容薬剤の供給を制御する供給量制御部と、を有し、
前記動作決定部は、
前記吸収促進処理を行わない前記分割領域に配置された前記供給量制御部に対して、前記美容薬剤の供給を停止させるように指示する、
請求項３に記載の経皮吸収促進器具。
【請求項９】
前記シート部材に前記分割領域毎に配置され、それぞれ近傍の肌の温度を検出する複数の温度センサ、を有し、
前記動作決定部は、
前記温度センサの検出値が所定の閾値以上となった分割領域が存在するとき、少なくとも当該分割領域における前記吸収促進処理を停止させる、
請求項３に記載の経皮吸収促進器具。
【請求項１０】
肌に貼り付けることが可能なシート部材に配置された複数の肌状態センサを用いて、前記複数の肌状態センサの近傍の肌の状態をそれぞれ検出するステップと、
前記シート部材に配置された複数の経皮吸収促進素子の各々を、前記複数の経皮吸収促進素子の各々に対応し、かつ、前記複数の肌状態センサに含まれる、一または複数の肌状態センサの検出情報に基づいて動作させるステップを含む、
経皮吸収促進方法。
【発明の詳細な説明】
【技術分野】
【０００１】
本開示は、経皮吸収促進器具および経皮吸収促進方法に関する。
【背景技術】
【０００２】
近年、肌に塗布した美容液や薬剤等の、肌への吸収を促進する器具（以下「経皮吸収促進器具」という）が、普及しつつある。経皮吸収促進器具の種類としては、例えば、イオントフォレシスを用いたものや（例えば、特許文献１参照）、エレクトロポレーション（電気穿孔、例えば、特許文献２参照）を用いたもの等がある。
【先行技術文献】
【特許文献】
【０００３】
【特許文献１】特開２００５−３３４０５２号公報
【特許文献２】特開２０１１−１９４１７５号公報
【特許文献３】特開２０１３−１６８５７５号公報
【特許文献４】国際公開第２０１３／１５１１２８号
【特許文献５】特開２００７−３００１１２号公報
【特許文献６】特開２００９−４８８３７号公報
【特許文献７】特開昭５８−９７６５０号公報
【特許文献８】特表２００５−５１６２１６号公報
【特許文献９】特表２０１３−５０６２８２号公報
【特許文献１０】特開平１１−１９０６０号公報
【特許文献１１】特許第５１９７９６０号公報
【特許文献１２】特開２００７−１７８２５６号公報
【非特許文献】
【０００４】
【非特許文献１】相原聡、久保田節、「有機撮像デバイスの研究動向」、ＮＨＫ技研Ｒ＆Ｄ  Ｎｏ．１３２、ＮＨＫ放送技術研究所、２０１２年３月、ＰＰ．４−１１
【非特許文献２】清倉孝規、美野真司、嶋田純一、「常時携帯可能な超小型レーザ血流計」、ＮＴＴ技術ジャーナル  ２００５．１１、日本電信電話株式会社（ＮＴＴマイクロシステムインテグレーション研究所）、Ｐ．２５−２７
【発明の概要】
【０００５】
しかしながら、上記従来技術では、吸収促進処理を効果的に行うことが難しい。
【０００６】
本開示の非限定的な例示的実施形態は、吸収促進処理をより効果的に行うことができる、経皮吸収促進器具を提供する。
【０００７】
本開示の実施形態の更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【０００８】
本開示技術の一般的な一態様に係る経皮吸収促進器具は、肌に貼り付けることが可能なシート部材と、前記シート部材に配置され、近傍の前記肌の状態をそれぞれ検出する、複数の肌状態センサと、前記シート部材に配置された複数の経皮吸収促進素子と、を含み、前記複数の経皮吸収促進素子の各々は、前記複数の肌状態センサに含まれる一または複数の肌状態センサに対応し、前記複数の経皮吸収促進素子の各々は、一または複数の対応する肌状態センサの検出情報に基づいて動作することを特徴とする。
【０００９】
なお、本開示の一般的な態様および具体的な態様は、方法という形で実現することができる。
【００１０】
本開示の経皮吸収促進器具によれば、吸収促進処理をより効果的に行うことができる。
【図面の簡単な説明】
【００１１】
【図１】本開示の実施の形態１に係る経皮吸収促進器具の構成の一例を示す図
【図２】本開示の実施の形態２に係る経皮吸収促進器具の外観の一例を示す図
【図３】本実施の形態２におけるイオントフォレシスの原理を説明する図
【図４】本実施の形態２におけるシートデバイスの構成の一例を示す図
【図５】本実施の形態２における経皮吸収促進素子およびその周辺部の構成の一例を示す図
【図６】本実施の形態２における経皮吸収促進素子およびその周辺部の構成の第１の変形例を示す図
【図７】経皮吸収促進器具の機能構成の一例を示す図
【図８】本実施の形態２における情報テーブルの内容の一例を示す図
【図９】本実施の形態２に係る経皮吸収促進器具の動作の一例を示すフローチャート
【図１０】本実施の形態２におけるサブブロック切替の様子の一例を示す図
【図１１】本実施の形態２に係る経皮吸収促進器具の外観の第１の変形例を示す図
【図１２】本実施の形態２に係る経皮吸収促進器具の外観の第２の変形例を示す図
【図１３】本実施の形態２に係る経皮吸収促進器具の外観の第３の変形例を示す図
【図１４】本実施の形態２における経皮吸収促進素子およびその周辺部の構成の第２の変形例を示す図
【図１５】本実施の形態２における肌状態センサの構成の一例を示す図
【発明を実施するための形態】
【００１２】
（基礎となった知見）
特許文献１および特許文献２に記載の経皮吸収促進器具（以下「従来技術」という）は、円筒状の本体部分の端部に、肌に接触させる接触部を配置している。そして、従来技術は、接触部から肌に電場を印加し、接触部に接触した肌部分を、美容液や薬剤等（以下「美容薬剤」という）が浸透し易い状態にする処理（以下「吸収促進処理」という）を行うように構成されている。
【００１３】
ユーザは、本体部分を手で握り、接触部を、肌の吸収促進処理を行いたい部分に当てる。これにより、従来技術は、美容薬剤の肌への吸収を促進することができ、肌の状態を改善させることができる。
【００１４】
ところで、肌には、吸収促進処理を行うべき部分と行うべきではない部分とがある。例えば、シミを軽減する効果のある美容薬剤の吸収促進処理を、シミのない肌部分に対しても行うことは、好ましくない。
【００１５】
しかしながら、従来技術では、不要な部分に対して吸収促進処理を行ったり、逆に、必要な部分に対して吸収促進処理を行わない、といった事態が発生し得る。なぜなら、肌のどの部分が吸収促進処理を行うべき場所であるのかを、的確に判断し難いからである。例えば、肌の奥深くに生成されたシミは、表面からは見えにくく、ユーザがこれを発見することが難しい。また、吸収促進処理を行うべき箇所を探し出し、個別に吸収促進処理を行うことは、時間と手間が掛かるからである。
【００１６】
このように、従来技術では、肌の各部の吸収促進処理の要否に適合しない形で、吸収促進処理が行われるおそれがある。すなわち、従来技術は、吸収促進処理を効果的に行うことが難しい。
【００１７】
そこで、本開示の経皮吸収促進器具は、肌に貼り付けることが可能なシート部材と、前記シート部材に配置され、近傍の前記肌の状態をそれぞれ検出する、複数の肌状態センサと、前記シート部材に配置された複数の経皮吸収促進素子を含み、前記複数の経皮吸収促進素子の各々は、前記複数の肌状態センサに含まれる一または複数の肌状態センサに対応し、前記複数の経皮吸収促進素子の各々は、一または複数の対応する肌状態センサの検出情報に基づいて動作する。
【００１８】
これにより、吸収促進処理をより効果的に行うことができる。
【００１９】
以下、本開示の各実施の形態について、図面を参照して詳細に説明する。
【００２０】
（実施の形態１）
本開示の実施の形態１は、本開示の基本的態様の一例である。
【００２１】
図１は、本実施の形態に係る経皮吸収促進器具の構成の一例を示す図である。
【００２２】
図１において、経皮吸収促進器具１００は、シート部材２１０、第１〜第Ｍ（複数）の肌状態センサ２２０１〜２２０Ｍ、および、第１〜第Ｎ（複数）の経皮吸収促進素子２３０１〜２３０Ｎを有する。
【００２３】
シート部材２１０は、肌に貼り付けることが可能な部材である。
【００２４】
第１〜第Ｍの肌状態センサ２２０１〜２２０Ｍは、シート部材２１０に配置される。第１〜第Ｍの肌状態センサ２２０１〜２２０Ｍの各々は、近傍の肌の状態を検出する。
【００２５】
第１〜第Ｎの経皮吸収促進素子２３０１〜２３０Ｎは、シート部材２１０に配置される。第１〜第Ｎの経皮吸収促進素子２３０１〜２３０Ｎの各々は第１〜第Ｍの肌状態センサ２２０１〜２２０Ｍのうち、対応する一または複数の肌状態センサの位置に対応する位置に配置される。第１〜第Ｎの経皮吸収促進素子２３０１〜２３０Ｎの各々は対応する一または複数の肌状態センサの検出結果に応じて動作する。
【００２６】
このような経皮吸収促進器具１００は、肌の各部分に対し、その部分の肌状態に応じて吸収促進処理を行うことができるので、吸収促進処理を効果的に行うことができる。
【００２７】
（実施の形態２）
本開示の実施の形態２は、本開示を、顔全体を覆うフェイスシートを用い、イオントフォレシスによる吸収促進処理を行う経皮吸収促進器具に適用した場合の、具体的態様の一例である。
【００２８】
＜経皮吸収促進器具の外観および構成＞
まず、本実施の形態にかかる経皮吸収促進器具の外観および構成について説明する。
【００２９】
＜経皮吸収促進器具の外観＞
図２は、本実施の形態に係る経皮吸収促進器具の外観の一例を示す図である。
【００３０】
図２に示すように、経皮吸収促進器具１００は、シートデバイス２００、電極部２５０、および制御部３００を有する。
【００３１】
シートデバイス２００は、顔全体の表面を覆う立体形状を有し、伸縮性および柔軟性を有するシート部材を母材としたデバイスである。母材のシート部材としては、例えば、アクリロイル基末端ウレタンポリマーおよびアクリル系モノマーを含有するエネルギー線硬化性組成物の硬化物（特許文献３参照）を採用することができる。なお、本実施の形態のシート部材は、光透過性を有するものとする。
【００３２】
シートデバイス２００は、目を閉じたときの目の形状に対応する切れ込みと、鼻の穴に対応する開口部とが設けられている。すなわち、シートデバイス２００の形状は、上瞼、下瞼、唇、および首を含めた顔全体を覆う形状となっている。
【００３３】
シートデバイス２００は、顔の所定の位置に装着されると、表面張力により、顔全体の肌の表面に密着した状態を維持することができるようになっている。なお、十分な密着性を確保するために、スプリットガム、シリコン接着剤、あるいはラテックス接着剤等の、生体適合性のある粘着剤が併用されてもよい。また、シートデバイス２００は、顔の大きさの違いに合わせて、複数のサイズから選択できることが望ましい。
【００３４】
シートデバイス２００を構成するシート部材の、顔に密着する側の面（以下「内側面」という）には、複数の肌状態センサおよび複数の経皮吸収促進素子（図示せず）が、配置されている。本実施の形態における経皮吸収促進素子は、イオントフォレシス素子である。
【００３５】
電極部２５０は、手の甲等に貼れる程度の大きさおよび形状を有し、シートデバイス２００と同様のシート部材を母材としたデバイスである。電極部２５０は、手の甲等の顔以外の肌に対して、表面張力により、密着した状態を維持することができるようになっている。なお、電極部２５０の肌への密着には、上述の粘着剤が併用されてもよい。
【００３６】
電極部２５０を構成するシート部材の内側面には、シートデバイス２００の経皮吸収促進素子に対応する促進補助素子（図示せず）が、配置されている。本実施の形態における促進補助素子は、シートデバイス２００に配置されたイオントフォレシス素子とは逆極性を取る、イオントフォレシス素子である。
【００３７】
イオントフォレシスの原理、並びに、肌状態センサおよび経皮吸収促進素子の配置を含むシートデバイス２００の詳細な構成については、後述する。
【００３８】
制御部３００は、プラスチック等の素材から成る筐体により保護された装置部であり、ケーブル４１０を介して、シートデバイス２００に接続されている。より具体的には、制御部３００は、シートデバイス２００の、各肌状態センサおよび各経皮吸収促進素子と接続されている。また、制御部３００は、ケーブル４２０を介して、電極部２５０にも接続されている。そして、制御部３００の筐体表面には、キースイッチ等の操作部が設けられている。
【００３９】
なお、ケーブル４１０およびケーブル４２０は、それぞれ、シートデバイス２００が顔に貼り付けられ、電極部２５０が手の甲等に貼り付けられた状態で、ユーザの服のポケットに制御部３００を収納できる程度の長さを有することが望ましい。
【００４０】
なお、シートデバイス２００と制御部３００はコネクタ４１１およびケーブル４２０を介して着脱可能な構成とすることが望ましい。かかる構成によってシートデバイス２００をユーザが使用する度に新たなシートデバイスと交換することが可能となる。
【００４１】
<イオントフォレシスの原理＞
図３は、イオントフォレシスの原理を説明する図である。ここでは、アニオン性（陰イオン性）の美容薬剤の経皮吸収促進処理を行う場合について説明する。
【００４２】
図３に示すように、イオントフォレシス回路５１０は、第１のイオントフォレシス素子５１１および第２のイオントフォレシス素子５１２と、これらの間に設けられた直流電源５１３および素子制御部５１４を有する。第１のイオントフォレシス素子５１１および第２のイオントフォレシス素子５１２は、同一のユーザの肌５１５の表面に接触している。また、第１のイオントフォレシス素子５１１と肌５１５との間には、アニオン性の美容薬剤５１６が配置される。
【００４３】
この状態において、素子制御部５１４は、第１のイオントフォレシス素子５１１を陰極とし、第２のイオントフォレシス素子５１２を陽極として、これらの間に数Ｖ（ボルト）の電圧を掛け、肌に電場を印加する。すると、第１のイオントフォレシス素子５１１と第２のイオントフォレシス素子５１２との間の肌５１５が通電し、第１のイオントフォレシス素子５１１の近傍において、美容薬剤５１６が肌５１５に浸透し、第２のイオントフォレシス素子５１２の近傍において、内因性イオンが肌５１５から抽出される。この結果、美容薬剤５１６は、表皮層５１７のみならず、毛細血管５１８により近い真皮層５１９にまで到達する。
【００４４】
このように、イオントフォレシスは、美容薬剤５１６を、肌５１５の深部に押しやって、真皮層５１９にまで到達させることが可能である。したがって、イオントフォレシスは、表皮層の深部や真皮層にまで美容薬剤を到達させることができ、シミや皺シワの軽減に効果的である。
【００４５】
本実施の形態においては、シートデバイス２００に配置された経皮吸収促進素子が、第１のイオントフォレシス素子５１１に相当し、電極部２５０に配置された促進補助素子が、第２のイオントフォレシス素子５１２に相当する（図２参照）。
【００４６】
なお、肌５１５は、コンデンサの性質を有する。したがって、イオントフォレシス回路５１０において電圧を掛け続けると、肌５１５に電荷が溜まり、美容薬剤５１６の浸透がし難くなることがある。そこで、本実施の形態において、通電は、例えば、電圧が約１０Ｖ、かつ、電流が約０.３〜約０.７ｍＡ／ｃｍ２のパルス波を、１ｋＨｚ〜４０ｋＨｚ（キロヘルツ）の周期で、デューティ比が３０〜５０％となるように、行われる。
【００４７】
＜シートデバイスの構成＞
図４は、シートデバイス２００の構成の一例を示す図である。
【００４８】
図４において、シートデバイス２００は、シート部材２１０に、３つの波長の異なる受光素子からなる肌状態センサ２２０および２つの経皮吸収促進素子２３０が埋め込まれた構成を有する。なお、シートデバイス２００全体では、多数の肌状態センサおよび多数の経皮吸収促進素子が配置されているが、ここでは、代表的な部分のみを切り出して図示する。
【００４９】
肌状態センサは、近傍の肌の状態を検出する。本実施の形態において、肌状態センサは、近傍の肌の色調を検出する、色調センサである。シート部材２１０は光透過性を有するため、室内灯や外光等の周囲からの光は、肌の表面まで到達する。肌状態センサは、この光の肌からの反射光を捉え、分光分析により、肌の色調を検出する。
【００５０】
なお、色調センサは、肌の反射光を捉えるようにするため、肌に密着しないようにシートデバイス２００に設けられていることが望ましい。例えば、肌状態センサは、シート部材２１０が肌に密着した状態において、肌状態センサの受光面が肌から１００マイクロメートル程度離隔した状態で肌に対面するように配置される。
【００５１】
経皮吸収促進素子は、近傍の肌に対して、吸収促進処理を行う。本実施の形態において、経皮吸収促進素子は、上述の通り、イオントフォレシス素子である。経皮吸収促進素子の電極面は、シート部材２１０の内側面（図中上側面）において露出している。
【００５２】
肌状態センサおよび経皮吸収促進素子は、できるだけ小型であることが望ましい。
【００５３】
小型の肌状態センサ（色調センサ）としては、例えば、ＲＧＢそれぞれの波長の光の強度を光センサによって測定するものや、非特許文献１に記載の、有機半導体によりＲＧＢの３原色を捉えることができるデバイスを採用することができる。非特許文献１に記載の色調センサは、印刷により微細に作成することが可能である。
【００５４】
美容薬剤は、肌の表面、あるいは、シートデバイス２００の内側面に塗布されていてもよい。しかしながら、単なる塗布では、十分な量の美容薬剤を肌に供給することは難しい。
【００５５】
そこで、シートデバイス２００は、より多くの美容薬剤を肌に供給することができるように、構成されている。
【００５６】
図５は、経皮吸収促進素子２３０およびその周辺部の構成の一例を示す図である。
【００５７】
図５に示すように、経皮吸収促進素子２３０は、円盤形状を有しており、シート部材２１０内部に形成された配線５２２に接続されている。経皮吸収促進素子２３０は、シート部材２１０の内側面（図中下側面）に形成された穴部５２１に嵌め込まれる形で、内側面よりも奥まって配置されている。すなわち、経皮吸収促進素子２３０と肌との間には、空間５２３が形成されている。
【００５８】
この空間５２３は、シート部材２１０のうち肌に接触しない側の面（図中上側面、以下「外側面」という）の外側の空間と連通している。より具体的には、シート部材２１０に、経皮吸収促進素子２３０の中央の孔と同型の孔部５２４が設けられている。外側面は、シートデバイス２００が顔に貼り付けられた状態において、外側に露出する面である。
【００５９】
孔部５２４は、空間５２３に対して外部から美容薬剤を送り込むための薬剤注入口である。経皮吸収促進素子２３０の中央の孔、空間５２３、および孔部５２４は非常に小さいため、孔部５２４から注入された美容薬剤は、速やかに空間５２３に送り込まれる。したがって、例えば、ユーザは、指で美容薬剤をシートデバイス２００の外側面に塗り込むことにより、経皮吸収促進素子２３０と肌との間に、美容薬剤を簡単に注入および補充することができる。
【００６０】
なお、孔部５２４および空間５２３には、美容薬剤を吸収して保持する薬剤保持材を配置してもよい。
【００６１】
図６は、薬剤保持材を備えた場合の、経皮吸収促進素子２３０およびその周辺部の構成の一例を示す図である。
【００６２】
図６に示すように、例えば、孔部５２４の奥および空間５２３に、薬剤保持材５２５を充填しておく。薬剤保持材５２５は、例えば、ポリウレタン繊維等の、吸湿性の高い素材から成る。孔部５２４から注入された美容薬剤は、薬剤保持材５２５に吸収され、保持される。薬剤保持材５２５に保持された美容薬剤は、経皮吸収促進素子２３０から出力される電荷により、肌の奥へと送り込まれる。
【００６３】
＜シートデバイスの制御単位＞
本実施の形態において、シートデバイス２００は、シートデバイス２００を、細かい複数の領域に分割した分割領域毎に、制御される。以下、シートデバイス２００の各分割領域およびその制御単位は、「ブロック」という。各ブロックは数ｍｍ〜１ｃｍ四方程度の大きさであってもよい。
【００６４】
１つのブロックには、少なくとも１つの肌状態センサと、少なくとも１つの経皮吸収促進素子とが、配置されているものとする。シートデバイス２００における肌状態センサおよび経皮吸収促進素子の配置密度は、一様であってもよいし、ブロック毎に異なってもよいし、ブロック内において異なってもよい。本実施の形態において、シートデバイス２００には、Ｌ個のブロックが設定されているものとする。
【００６５】
＜経皮吸収促進器具の機能構成＞
図７は、経皮吸収促進器具１００の機能構成の一例を示す図である。
【００６６】
図７において、経皮吸収促進器具１００は、シートデバイス２００に配置された、第１〜第Ｍの肌状態センサ２２０１〜２２０Ｍおよび第１〜第Ｎの経皮吸収促進素子２３０１〜２３０Ｎと、電極部２５０に配置された促進補助素子２６０とを有する。また、経皮吸収促進器具１００は、制御部３００に配置された、情報格納部３１０および動作決定部３２０を有する。
【００６７】
情報格納部３１０は、上述のブロック毎に、どの肌状態センサおよびどの経皮吸収促進素子が属するかを記述したテーブル（以下「ブロック情報テーブル」という）を、予め格納している。
【００６８】
図８は、情報テーブルの内容の一例を示す図である。
【００６９】
図８に示すように、ブロック情報テーブル５５０は、ブロックの識別情報５５１に対応付けて、当該ブロックに配置された肌状態センサの識別情報５５２および経皮吸収促進素子の識別情報５５３を、記述している。各ブロックは少なくとも１つの肌状態センサと、少なくとも１つの経皮吸収促進素子を含む。
【００７０】
図７の動作決定部３２０は、制御部３００とシートデバイス２００とを接続するケーブル４１０（図２参照）およびシートデバイス２００に埋め込まれたケーブル（図示せず）を介して、第１〜第Ｍの肌状態センサ２２０１〜２２０Ｍのそれぞれおよび第１〜第Ｎの経皮吸収促進素子２３０１〜２３０Ｎのそれぞれに接続されている。
【００７１】
すなわち、動作決定部３２０は、各肌状態センサに対して制御信号を出力してその動作を制御し、各肌状態センサから出力される検出値を入力することができる。また、動作決定部３２０は、各経皮吸収促進素子に対して制御信号を出力してその動作を制御することができる。
【００７２】
また、動作決定部３２０は、制御部３００と電極部２５０とを接続するケーブル４２０（図２参照）を介して、促進補助素子２６０に接続されている。すなわち、動作決定部３２０は、促進補助素子２６０に対して制御信号を出力してその動作を制御することができる。
【００７３】
経皮吸収促進素子および促進補助素子は、それぞれ、図３の第１のイオントフォレシス素子５１１および第２のイオントフォレシス素子５１２に相当する。そして、動作決定部３２０は、図３の素子制御部５１４および直流電源５１３の機能を含む。したがって、動作決定部３２０は、各経皮吸収促進素子に対応する素子制御部(例えば、経皮吸収促進素子が第１のイオントフォレシス素子５１１に相当する場合、この経皮吸収促進素子には、素子制御部５１４が対応する)を操作することで、各経皮吸収促進素子を制御できるので、上述のブロック毎に、イオントフォレシスによる吸収促進処理（以下、単に「吸収促進処理」という）を行うか否かを制御することができる。
【００７４】
動作決定部３２０は、ブロック情報テーブル５５０（図８参照）を参照し、シートデバイス２００のブロック毎に、当該ブロックに配置された一または複数の肌状態センサの検出値に基づいて、当該ブロックに配置された一または複数の経皮吸収促進素子の動作を決定する。より具体的には、動作決定部３２０は、肌の色が比較的濃い部分をシミが存在する部分とし、対応するブロックに対して、吸収促進処理を行うことを決定する。
【００７５】
なお、制御部３００は、図示しないが、例えば、ＣＰＵ（central processing unit）、制御プログラムを格納したＲＯＭ（read only memory）等の記憶媒体、およびＲＡＭ（random access memory）等の作業用メモリを有する。この場合、制御部３００の各部の機能は、ＣＰＵが制御プログラムを実行することにより実現される。
【００７６】
また、制御部３００は、図示しないが、充電池等の電源部を有する。電源部は、上記ＣＰＵ、シートデバイス２００、および電極部２５０を動作させるための電源を供給する。
【００７７】
このような構成により、経皮吸収促進器具１００は、肌のうち、シミのある部分に絞って、吸収促進処理を行うことができる。
【００７８】
なお、経皮吸収促進器具１００は、第１〜第Ｎの経皮吸収促進素子２３０１〜２３０Ｎおよび促進補助素子２６０の極性を切り替えるための、スイッチ回路を備えていることが望ましい。また、制御部３００の操作部は、美容薬剤がアニオン性（陰イオン性）およびカチオン性（陽イオン性）のいずれであるか、つまり、経皮吸収促進素子をマイナス極およびプラス極のいずれにするかの選択を、ユーザから受け付けることが望ましい。
【００７９】
例えば、制御部３００の操作部は、マイナス極を指定するための、「＋」マークが付されたボタンと、プラス極を指定するための、「−」マークが付されたボタンとを、有する。この場合、動作決定部３２０は、「マイナス」マークのボタンが押下されると、第１〜第Ｎの経皮吸収促進素子２３０１〜２３０Ｎをマイナス極に設定し、促進補助素子２６０をプラス極に設定する。動作決定部３２０は、「＋」マークのボタンが押下されると、第１〜第Ｎの経皮吸収促進素子２３０１〜２３０Ｎをプラス極に設定し、促進補助素子２６０をマイナス極に設定する。
【００８０】
これにより、経皮吸収促進器具１００は、アニオン性の美容薬剤およびカチオン性の美容薬剤のいずれについても、吸収促進処理を行うことが可能となる。
【００８１】
＜経皮吸収促進器具の動作＞
次に、経皮吸収促進器具１００の動作について説明する。
【００８２】
ユーザは、まず、シートデバイス２００および電極部２５０を肌に貼り付け、シートデバイス２００の外側面に美容薬剤を塗布する。塗布された美容薬剤は、シートデバイス２００に細かく設けられた孔部５２４（図５および図６参照）に入り込み、経皮吸収促進素子２３０と肌との間に到達する。
【００８３】
ユーザは、この状態において、制御部３００に対し、経皮吸収促進素子２３０の極性を指定する操作、および、動作開始を指示する操作を行う。すると、経皮吸収促進器具１００は、以下に説明する処理を実行する。
【００８４】
図９は、経皮吸収促進器具１００の動作の一例を示すフローチャートである。
【００８５】
まず、ステップＳ１１００において、第１〜第Ｍの肌状態センサ２２０１〜２２０Ｍは、それぞれ、肌の色調を検出し、検出結果を動作決定部３２０へ出力する。
【００８６】
そして、ステップＳ１２００において、動作決定部３２０は、上述のシートデバイス２００の複数のブロックの中から、吸収促進処理を行うブロックを決定する。
【００８７】
動作決定部３２０は、例えば、第１〜第Ｍの肌状態センサ２２０１〜２２０Ｍの検出結果の平均値を算出し、算出した平均値に所定の係数を乗じて、シミの判定の基準となる色の濃度を決定する。そして、動作決定部３２０は、決定した濃度よりも高い濃度の色調が検出されたブロックを、吸収促進処理を行うブロックとして決定する。このような処理により、肌の他の部分のよりも色が特に濃い部分を、シミとして検出し、当該部分を、吸収促進処理の対象として決定することができる。
【００８８】
１つのブロックが複数の肌状態センサを含む場合、動作決定部３２０は、当該ブロックに含まれる複数の肌状態センサの検出値の平均値を用いて、当該ブロックを吸収促進処理の対象ブロックとするか否かを判定してもよい。
【００８９】
検出結果の平均値の算出は第１〜第Ｍの肌状態センサ２２０１〜２２０Ｍの検出結果のうち、特定の肌状態センサの検出結果のみを用いてもよい。
【００９０】
シミの判定の基準となる色の濃度を決定するための係数は、実験等により予め決定されている。なお、動作決定部３２０は、かかる係数に対応するパラメータの設定を、操作部を介してユーザから受け付けてもよい。
【００９１】
そして、ステップＳ１３００において、シートデバイス２００は、吸収促進処理の対象として決定したブロックにおいて、吸収促進処理を開始する。より具体的には、対応するブロックの一または複数の経皮吸収促進素子と、促進補助素子２６０が、イオントフォレシス回路としての動作を開始する。促進補助素子は１つのみ設けて、全ての経皮吸収促進素子と共用してもよいし、１つまたは複数の経皮吸収促進素子に対応にして１つの促進補助素子を設けてもよい。
【００９２】
吸収促進処理が開始されたブロックでは、美容薬剤の肌への浸透が促進される。一方、収促進処理が開始されていないブロックでは、美容薬剤の肌への浸透は促進されない。
【００９３】
そして、ステップＳ１４００において、動作決定部３２０は、吸収促進処理を開始してからの時間が、所定の閾値（例えば７分）に到達したか否かを判断する。
【００９４】
この閾値は、１回の吸収促進処理として、吸収促進処理が十分であって過剰ではない時間に対応する値であり、例えば、実験により予め決定された値である。なお、係る閾値は、全てのブロックについて同一の値でもよいし、ブロック毎に異なる値でもよい。
【００９５】
動作決定部３２０は、処理時間が所定の閾値に到達していない場合（Ｓ１４００：ＮＯ）、ステップＳ１４００の判断処理を繰り返す。そして、動作決定部３２０は、処理時間が所定の閾値に到達した場合（Ｓ１４００：ＹＥＳ）、処理をステップＳ１５００へ進める。
【００９６】
ステップＳ１５００において、シートデバイス２００は、全てのブロックの吸収促進処理を、停止して、一連の処理を終了する。
【００９７】
このような動作により、経皮吸収促進器具１００は、肌のうち、シミのある部分に絞って、美容薬液の吸収促進処理を開始し、その処理が過剰となる前に、吸収促進処理を停止させることができる。
【００９８】
なお、経皮吸収促進器具１００は、経皮吸収促進素子を動作させて通電を行う領域（以下「通電領域」という）を、各ブロック内において移動させることが望ましい。
【００９９】
この場合、シートデバイス２００は、各ブロックを更に細かく分割したサブブロック毎に、経皮吸収促進素子を備える必要がある。動作決定部３２０は、図９のステップ１４００の判定処理が繰り返される間、吸収促進処理を行うことが決定されたブロックにおいて、通電領域となるサブブロックを、一定時間毎（例えば１分〜２分毎）に切り替える。
【０１００】
図１０は、通電領域となるサブブロックを切り替える様子の一例を示す図である。
【０１０１】
図１０の例では、ブロック６１０は、第１〜第４のサブブロック６１１〜６１４を含む。第１〜第４のサブブロック６１１〜６１４のそれぞれは少なくとも１つの経皮吸収促進素子を含む。
【０１０２】
動作決定部３２０は、ブロック６１０を、吸収促進処理の対象として決定したとする。この場合、動作決定部３２０は、経皮吸収促進素子を動作させる対象を、例えば、図中の矢印で示すように、第１〜第４のサブブロック６１１〜６１４の間で順に切り替えていく。例えば、第１のサブブロック６１１の経皮吸収促進素子が吸収促進処理を行っている間、第２〜第４のサブブロック６１２〜６１４の経皮吸収促進素子は、吸収促進処理を行わない。
【０１０３】
また、この場合、図９のステップＳ１４００で用いられる時間の閾値は、吸収促進処理を行っていない時間を考慮した値である必要がある。図１０に示す例では、例えば、７分の４倍である２８分が、図９のステップＳ１４００で用いられる時間の閾値となる。
【０１０４】
これにより、肌の同一部分に連続して通電が行われる時間を短くすることで、肌への負担を抑えつつ、１回の吸収促進処理における合計処理時間を長くすることができる。
【０１０５】
ユーザは、例えば、経皮吸収促進器具１００を用いて、１日１回の吸収促進処理を、２週間〜１ヶ月の期間行う。これにより、例えば、顔のシミが軽減される。
【０１０６】
＜経皮吸収促進器具の効果＞
以上のように、本実施の形態に係る経皮吸収促進器具は、肌のどの部分に吸収促進処理を行えば良いのかをユーザが判断することなく、必要な肌部分に対し、吸収促進処理を的確に行うことができる。すなわち、本実施の形態に係る経皮吸収促進器具は、吸収促進処理を効果的に行うことができる。
【０１０７】
美容薬剤によっては、吸収促進処理が不要な部分の肌への供給を、できるだけ防ぐべきものもある。本実施の形態に係る経皮吸収促進器具は、吸収促進処理が不要な肌部分に対しては、美容薬剤をほとんど供給しないようにすることが可能であるため、このような美容薬剤に特に好適である。また、経皮吸収促進器具は、無駄な美容薬剤の供給や経皮吸収促進素子の動作を抑制するという効果をも奏する。
【０１０８】
また、本実施の形態に係る経皮吸収促進器具は、両手が空いた状態で吸収促進処理を行うことができるため、他の作業や動作を行いながら使用することができる。更に、本実施の形態に係る経皮吸収促進器具は、利き手側の顔部分に吸収促進処理が偏ったり、小鼻周り等の凹凸がある部分への吸収促進処理が不足するのを、防ぐことができる。
【０１０９】
＜肌温度検出との併用＞
なお、イオントフォレシス等の吸収促進処理では、皮膚の代謝促進によって肌温度を上昇させることがある。あるいは美容薬剤の吸収促進のためユーザがシートデバイス２００の一部を強く揉むことなどに起因してシートデバイス２００が故障し温度が急激に上昇する可能性も考えられる。
そこで、経皮吸収促進器具１００は、肌の温度を検出し、肌の温度が４２度等の所定の閾値を超えた場合には、処理時間によらずに、シートデバイス２００への給電を停止するなどしてシートデバイス２００の動作を停止するようにしてもよい。
【０１１０】
この場合、シートデバイス２００は、例えばブロック毎、あるいは、隣接する複数のブロック毎に、肌の温度を検出して検出結果を動作決定部３２０へ出力する温度センサを有する。温度センサとしては、例えば、有機薄膜トランジスタの有機分子層をフタロシアニンナノサイズ構造物で形成した温度センサを採用することができる（例えば、特許文献４参照）。
【０１１１】
なお、動作決定部３２０は、肌の温度が所定の閾値以上となったブロックのみでシートデバイス２００の動作を停止させてもよいし、周辺のブロックあるいは全てのブロックでシートデバイス２００の動作を停止させてもよい。
【０１１２】
＜シートデバイスおよび電極部の他の構成例＞
また、電極部２５０（図２参照）は、シートデバイス２００と一体的に構成されていてもよい。
【０１１３】
図１１および図１２は、電極部２５０がシートデバイス２００と一体となっている場合の、経皮吸収促進器具１００の外観の一例を示す図である。
【０１１４】
図１１に示すように、電極部２５０は、例えば、シートデバイス２００が顔に装着された状態において、耳の後ろの肌に貼り付けられるように、シートデバイス２００と一体的に構成される。また、図１２に示すように、電極部２５０は、例えば、シートデバイス２００が顔に装着された状態において、鎖骨の下の肌に貼り付けられるように、シートデバイス２００と一体的に構成される。これらの場合、例えば、電極部２５０のシート部材は、シートデバイス２００のシート部材と連続した部材とすればよい。但し、この場合、シート部材は、十分な絶縁性を有することが望ましい。
【０１１５】
このような構成の経皮吸収促進器具１００は、器具全体をよりコンパクトに構成することができ、ユーザの使い勝手を向上させることができる。
【０１１６】
＜処理停止の他の判定例＞
ところで、肌は、美容薬液が肌に浸透すると、活性化され、様々な変化が現れる。美容薬液によっては、短時間のうちに肌の血行を改善する効果を有する。例えば、ＡＨＡ（アルファヒドロキシ酸）やアスコルビン酸等、シミ軽減のための美容薬剤は、毛細血管の血流を促進する効果を有する。
【０１１７】
一方で、肌の活性化は、過度に行われないことが望ましい。ここで、肌の活性化とは、例えば、血液循環の促進、繊維芽細胞の活性化、リンパ循環の促進、美白化、活性酸素発生の沈静化、微細血管の拡張、新陳代謝の促進、組織再生能力の増加、筋肉の弛緩を含む概念である。
【０１１８】
そこで、経皮吸収促進器具１００は、例えば、吸収促進処理を開始してからの肌の活性化の度合いに基づいて、吸収促進処理の停止タイミングを決定してもよい。
【０１１９】
この場合、動作決定部３２０は、例えば、シートデバイス２００は、ブロック毎に、血流センサを備える必要がある。各血流センサは、動作決定部３２０の制御を受けて、近傍の肌の毛細血管の血流値を検出し、検出結果を動作決定部３２０へ出力する。動作決定部３２０は、ブロック毎に、吸収促進処理を開始してからの血流値の変化を監視し、いずれかのブロックにおいて血流値が４０％上昇した場合、そのブロックの吸収促進処理を停止する。
【０１２０】
これにより、肌が過度に活性化されるのを防ぎつつ、美容薬剤の肌への浸透を促進することができる。
【０１２１】
なお、血流センサとしては、例えば、非特許文献２に記載の血流センサを採用することができる。かかる血流センサを構成するレーザダイオードおよびフォトトランジスタのうち、フォトトランジスタについては、特許文献５に記載の、高分子系の薄膜トランジスタ（thin film transistor）による有機フォトトランジスタを採用することができる。
【０１２２】
また、経皮吸収促進器具１００は、肌の活性化の度合いを、肌の色調から判断してもよい。この場合、シートデバイス２００は、ブロック毎に、色調センサを備える必要がある。また、この場合、シートデバイス２００は、光透過性を有するシート部材を備えるか、内側面に配置された発光素子を備える必要がある。
【０１２３】
色調センサとしては、例えば、ＲＧＢそれぞれの波長の光の強度を光センサによって測定するものや、非特許文献１に記載の、有機半導体によりＲＧＢの３原色を捉えることができるデバイスを採用することができる。非特許文献１に記載の色調センサは、印刷により微細に作成することが可能である。
【０１２４】
また、発光素子としては、例えば、非特許文献２に記載のレーザダイオードや、特許文献６に記載の、高分子ポリマーを利用し、印刷によって作成される、有機ＬＥＤ素子あるいは有機レーザダイオード素子を採用することができる。
【０１２５】
また、経皮吸収促進器具１００は、肌の活性化の度合いを、肌の温度等、他の各種情報から判断してもよい。
【０１２６】
＜美容薬剤塗布場所の提示＞
また、経皮吸収促進器具１００は、吸収促進処理の対象となるブロックの場所（つまり、シミのある場所）を、美容薬液を塗布すべきブロックとして、ユーザに提示してもよい。
【０１２７】
例えば、シートデバイス２００は、ブロック毎に、外側面に１つまたは複数の発光素子を配置している。各発光素子は、動作決定部３２０からの制御を受けて発光するように構成されている。動作決定部３２０は、吸収促進処理の対象と成るブロックを決定すると、決定したブロックの発光素子を発光させる。ユーザは、顔に貼り付けられたシートデバイス２００の外側面のうち、発光している部分にのみ、美容薬剤を塗布する。
【０１２８】
発光素子としては、例えば、非特許文献２に記載のレーザダイオードや、特許文献６に記載の有機ＬＥＤ素子あるいは有機レーザダイオード素子を採用することができる。
【０１２９】
これにより、ユーザは、美容薬剤を塗布する必要がある場所に絞って、美容薬剤を塗布することができる。したがって、このような経皮吸収促進器具１００は、美容薬液の節約を図ることができると共に、ユーザの美容薬剤塗布の負担を軽減することができる。
【０１３０】
美容薬剤は、発光素子が点灯していないブロックにもはみ出して塗布され得る。しかしながら、発光素子が点灯していないブロックでは経皮吸収促進素子は動作せず、吸収促進処理は行われない。
【０１３１】
なお、シート部材が十分な光透過性を有する場合、発光素子は、シートデバイス２００の内側面に配置されていてもよい。
【０１３２】
また、この場合、発光素子は、例えば、青色域の光を出力する青色ＬＥＤ素子とすることが望ましい。青色域の光は、アクネ菌の殺菌効果をも発揮することができ、特に若年層のユーザの満足度を向上させることができるからである。また、色調センサによるシミ検出と組み合わせた場合には、肌の奥深くにできたシミをも精度良く検出することが可能となるからである。
【０１３３】
＜美容薬剤供給の制御＞
また、経皮吸収促進器具１００は、吸収促進処理の対象となるブロックの場所（つまり、シミのある場所）でのみ、美容薬液が肌に供給されるように、美容薬液の供給を制御する構成を有してもよい。
【０１３４】
図１３は、美容薬剤の供給を制御する場合の経皮吸収促進器具の外観の一例を示す図である。
【０１３５】
図１３に示すように、経皮吸収促進器具１００ａは、美容薬液を収容する美容薬剤タンク６２０ａと、美容薬剤タンク６２０ａに収容された美容薬液を送り出すポンプ（図示せず）とを有する。ポンプは、小型液体ポンプであり、例えば、制御部３００ａに内蔵されている。ケーブル４１０ａは、ポンプから送り出された美容薬剤を、シートデバイス２００ａへ搬送する。
【０１３６】
シートデバイス２００ａには、ケーブル４１０ａから送り込まれた美容薬剤を各ブロックの経皮吸収促進素子へと搬送する、微細なパイプが張り巡らされている。
【０１３７】
図１４は、経皮吸収促進素子２３０およびその周辺部の構成の他の例を示す図であり、図５に対応するものである。
【０１３８】
図１４に示すように、シートデバイス２００ａのシート部材（図示せず）の内部には、美容薬剤を搬送するためのパイプ６３１が設けられている。そして、パイプ６３１と経皮吸収促進素子２３０の中央の孔との間には、パイプ６３１に送り込まれた美容薬液を、経皮吸収促進素子２３０と肌との間の空間５２３へと導くための、分岐パイプ６３２が設けられている。また、分岐パイプ６３２には、微細な弁６３３と、弁６３３の開閉を制御する弁制御部６３４（供給量制御部）とが設けられている。
【０１３９】
弁制御部６３４は、例えば、経皮吸収促進素子２３０に電圧を印加する配線５２２に接続されている。弁制御部６３４は、例えば、弁６３３の駆動部として圧電素子を含む。弁制御部６３４は、対応する経皮吸収促進素子２３０に電圧が印加されていないとき、弁６３３を閉止し、対応する経皮吸収促進素子２３０に電圧が印加されているとき、弁６３３を開放する。すなわち、弁制御部６３４は、対応する経皮吸収促進素子２３０に電圧が印加されていないとき、美容薬液の供給を停止し、対応する経皮吸収促進素子２３０に電圧が印加されているとき、美容薬液の供給を停止しない。
【０１４０】
なお、ここでいう弁６３３の閉止（美容薬液の供給の停止）とは、美容薬液が分岐パイプ６３２を通過することを遮断することだけでなく、弁６３３が開放されているときと比較して美容薬液が分岐パイプ６３２を通過し難い状態にすることを含む。また、弁６３３自体が圧電素子であって、上述の機能を発揮するものであってもよい。
【０１４１】
制御部３００の動作決定部３２０（図７参照）は、例えば、経皮吸収促進素子２３０への電圧印加のオンオフにより、経皮吸収促進素子２３０の動作のオンオフを制御する。したがって、弁制御部６３４は、対応する経皮吸収促進素子２３０が動作していないとき、弁６３３を閉止し、美容薬液が供給され難くする。そして、弁制御部６３４は、対応する経皮吸収促進素子２３０が動作しているとき、弁６３３を開放し、美容薬液が供給され易くする。
【０１４２】
なお、弁６３３および弁制御部６３４は、経皮吸収促進素子２３０毎ではなく、ブロック（分割領域）毎に設けられていてもよい。
【０１４３】
このような構成により、経皮吸収促進器具１００は、吸収促進処理の対象となるブロックの場所にのみ美容薬液が積極的に供給されるようにすることができる。例えば、そばかすのような小さなシミが多数存在する場合、発光を頼りに美容薬剤をピンポイントで塗布することは、ユーザにとって負担となる。したがって、このような経皮吸収促進器具１００は、美容薬液を節約できるだけでなく、ユーザの美容薬剤塗布の負担を大幅に軽減することができる。
【０１４４】
＜処理時間制御の他の例＞
また、経皮吸収促進器具１００は、シミの濃さ等、肌の状態に応じて、吸収促進処理の時間や強度を制御してもよい。
【０１４５】
この場合、動作決定部３２０は、例えば、シートデバイス２００の各ブロックに配置された色調センサにおいて検出された各部の肌の色調を比較し、ブロックごとに、シミの有無およびシミの程度を判定する。そして、動作決定部３２０は、判定結果に応じて、各ブロックの吸収促進処理の時間あるいは強度を決定し、対応する経皮吸収促進素子の動作を制御する。より具体的には、動作決定部３２０は、例えば、シミの度合いが強いブロックに対しては、他のブロックよりも処理時間を長くする。
【０１４６】
このような制御により、経皮吸収促進器具１００は、肌の状態に応じてよりきめ細やかな吸収促進処理を行うことができ、顔全体でバランス良く肌の状態を改善することができる。
【０１４７】
＜吸収促進処理の他の例＞
また、以上説明した実施の形態では、吸収促進処理として、イオントフォレシスを採用した場合について説明したが、本開示は、エレクトロポレーション等、他の各種の吸収促進処理に適用することができる。
【０１４８】
なお、エレクトロポレーションでは、イオントフォレシスに比べて、数百ボルトといった非常に高い電圧の印加を行う。その電圧印加は、例えば、マイクロ秒オーダーの時間（パルス）で、１分につき１回のペースで６０回行う。エレクトロポレーションは、細胞に一時的に穿孔を行うため、イオントフォレストでは効果を得ることが難しい、電荷を帯びていない高分子の薬剤についても、肌への浸透の促進を図ることができる。
【０１４９】
＜処理対象の他の例＞
また、以上説明した実施の形態では、主にシミの軽減を目的とする場合について説明したが、本開示は、乾燥小じわ等、他の各種の肌状態改善を目的とした経皮吸収促進器具にも適用することができる。
【０１５０】
乾燥小じわの軽減を目的とする場合、シートデバイス２００は、例えば、内側面に、肌状態センサとして肌水分センサを配置し、更に、シートデバイスの外側面に、湿度センサを配置した構成を有する。
【０１５１】
湿度センサとしては、例えば、特許文献７に記載の、ポリイミド薄膜を用いた有機半導体により構成された湿度センサを、採用することができる。
【０１５２】
肌水分センサとしては、例えば、レーザダイオードとフォトディテクタとを組み合わせた、肌の水分量はラマン分光法で測定する装置を採用することができる。
【０１５３】
図１５は、肌水分センサ（肌状態センサ）の構成の一例を示す図である。
【０１５４】
図１５に示すように、肌水分センサ６４０は、例えば、レーザダイオード６４１、フォトディテクタ６４２、反射板６４３、および波長選択素子６４４を有する。
【０１５５】
レーザダイオード６４１およびフォトディテクタ６４２は、シート部材２１０に、内側面（図中下側面）から奥まった位置に埋め込まれている。反射板６４３は、レーザダイオード６４１から出力された光の肌からの反射光（散乱光）を、偏向して波長選択素子６４４に入射させる位置および角度で、配置されている。波長選択素子６４４は、反射板６４３からの反射光を、偏向してフォトディテクタ６４２に入射させる位置および角度で、配置されている。
【０１５６】
レーザダイオード６４１は、表皮層を透過する波長である、８００ｎｍ程度の近赤外領域の波長の光を、近傍の肌に向けて出射する。この波長が用いられるのは、表皮層と真皮層との間の水分を検出するためである。
【０１５７】
波長選択素子６４４は、反射板６４３を介して入射した散乱光のうち、水分の散乱波に相当する波長（またはラマンシフト）の光を選択して、フォトディテクタ６４２へ入射させる。波長選択素子６４４としては、例えば、特許文献８に記載の共鳴格子に反射鏡を組み合わせたものを採用することができる。
【０１５８】
フォトディテクタ６４２は、肌水分センサ６４０の近傍の肌の水分量に応じた強度の光を受光する。フォトディテクタ６４２としては、例えば、特許文献９に記載の有機フォトディテクタを採用することができる。
【０１５９】
このような構成の肌水分センサ６４０は、つまり、ラマン分光法によって、肌の水分量は測定する。フォトディテクタ６４２の出力は、肌水分センサ６４０の近傍の肌の水分量の状態に応じた値をとる。動作決定部３２０は、肌水分センサ６４０から入力される検出値に基づいて、肌の水分量を取得することができる。
【０１６０】
動作決定部３２０は、湿度センサが検出した外気の湿度に基づき、テーブルの参照あるいは演算により、当該湿度に対応した標準的な肌水分量（標準値）を取得する。外気湿度と肌水分量の標準値との関係は、例えば、特許文献１０に記載されている関係を採用することができる。
【０１６１】
動作決定部３２０は、例えば、各ブロックの肌水分センサの検出結果を、肌水分量の標準値に基づいて決定される閾値と比較し、肌水分量が閾値よりも以下となっているブロックを、肌に対する保湿成分の供給が必要なブロックとして決定する。閾値は、例えば、肌水分量の標準値を１０％減じた値である。そして、動作決定部３２０は、決定したブロックの経皮吸収促進素子を動作させる。なお、この場合、ユーザは、ナイアシンアミド等の保湿成分を含む美容薬剤を用意する必要がある。
【０１６２】
１つのブロックが複数の肌水分センサを含む場合、動作決定部３２０は、当該ブロックに含まれる複数の肌水分センサの検出値の平均値を用いて、当該ブロックが肌に対する保湿成分の供給が必要なブロックであるか否かを判定してもよい。
【０１６３】
また、シートデバイス２００の制御単位であるブロックの大きさおよび配置は、吸収促進処理の目的に適したものであることが望ましい。
【０１６４】
例えば、目元や口元では、小さい領域の内部においても、場所によって、肌の乾燥の度合いが大きく異なっていることがある。そこで、例えば、乾燥小じわの軽減を目的とする場合には、目元や口元のブロックが他の部位のブロックよりも細かく配置されていることが望ましい。これにより、目元や口元に対してよりきめ細やかな吸収促進処理を行うことができる。
【０１６５】
また、シートデバイス２００における肌状態センサの密度および経皮吸収促進素子の密度、並びに、これらの密度の分布も、吸収促進処理の目的に適したものであることが望ましい。
【０１６６】
例えば、目元や口元では、肌が乾燥し易い。そこで、例えば、乾燥小じわの軽減を目的とする場合には、目元や口元のブロックにおける肌状態センサの密度および経皮吸収促進素子の密度を、他の部位のブロックにおける肌状態センサの密度および経皮吸収促進素子の密度よりも高くすることが望ましい。これにより、目元や口元に対して、より積極的な吸収促進処理を行うことができる。
【０１６７】
なお、乾燥小じわの軽減を目的とする場合、経皮吸収促進器具１００は、肌の活性化の度合いを判定し、肌の活性化の度合いに応じて、吸収促進処理を制御してもよい。例えば、経皮吸収促進器具１００は、肌の活性化の度合いが不十分であると判定されたブロックの、経皮吸収促進素子を動作させる。肌の活性化の度合いが不十分であることに起因する乾燥小じわには、例えば、アスコルビン酸（ビタミンＣ）やパルミチン酸レチノール（ビタミンＡ）等の細胞賦活化成分が好適である。
【０１６８】
また、吸収促進処理としてエレクトロポレーションを採用した場合、保湿成分として、高分子量のヒアルロン酸を採用してもよい。
【０１６９】
また、経皮吸収促進器具１００は、額の皺、眉間の皺、目尻の皺、法令線、マリオネットライン（口角から顎にかけて発生する皺）等の、真皮層に発生する深くて大きい皺の改善を目的とするものであってもよい。
【０１７０】
この場合、シートデバイス２００は、例えば、内側面に、シートの屈曲、接触圧、あるいは筋肉の緊張度等、顔の皺の度合いを計測する計測センサを配置した構成を有する。
【０１７１】
例えば、肌にシートデバイス２００を密着させたとき、大きくて深い皺の近傍では、シートデバイス２００の変形（起伏差）が大きくなる。このため、大きくて深い皺の近傍では、シートデバイス２００と肌との間に掛かる圧力（以下「肌圧力」という）は、他の部分における肌圧力とは大きく異なったものとなる。したがって、経皮吸収促進器具１００は、肌状態センサとして圧力センサを採用し、肌圧力の分布に基づいて、大きくて深い皺のある部分を検出することができる。圧力センサとしては、例えば、特許文献１１および特許文献１２に記載の圧力センサを採用することができる。
【０１７２】
より具体的には、動作決定部３２０は、まず、通常、大きな皺の発生が少ない部位（鼻や頬等）に対応するブロックに配置された圧力センサの検出値の、平均値および分散を算出する。そして、動作決定部３２０は、算出した平均値から、その分差値に相当する値だけプラス側またはマイナス側に加減した値を閾値とし、この閾値を圧力センサの出力値が超えるブロックを、吸収促進処理の対象となるブロックとして決定する。
【０１７３】
＜その他の変形例＞
また、以上説明した実施の形態２における制御部３００の機能の一部または全部は、携帯電話機等、他の機能を主とする装置に配置されていてもよい。
【０１７４】
また、上記機能は、ネットワーク上のサーバに配置されていてもよい。すなわち、経皮吸収促進器具１００の一部の機能をクラウド化してもよい。この場合、動作決定部３００は、少なくとも通信部を備える必要がある。
【０１７５】
また、経皮吸収促進器具１００は、顔だけでなく、身体の他の部分を覆う、楕円形や長方形等のシートに適用することができる。例えば、経皮吸収促進器具１００を用いることにより、日焼け等により背中に斑状にできたシミの軽減を、効果的に行うことができる。
【０１７６】
また、経皮吸収促進器具１００は、ブロック毎に、そのブロックについての動作のみを行う動作決定部３２０を設けてもよい。
【０１７７】
（本開示のまとめ）
本開示の経皮吸収促進器具は、肌に貼り付けることが可能なシート部材と、前記シート部材に配置され、近傍の前記肌の状態をそれぞれ検出する、複数の肌状態センサと、前記シート部材に配置された複数の経皮吸収促進素子を含み、前記複数の経皮吸収促進素子の各々は、前記複数の肌状態センサに含まれる一または複数の肌状態センサに対応し、前記複数の経皮吸収促進素子の各々は、一または複数の対応する肌状態センサの検出情報に基づいて動作する。
【０１７８】
なお、前記経皮吸収促進素子は、前記経皮吸収促進素子の近傍の肌に対して、イオントフォレシスおよびエレクトロポレーションのうち少なくとも１つを含む吸収促進処理の動作を行う素子であってもよい。
【０１７９】
また、前記経皮吸収促進器具は、動作決定部を更に含み、前記シート部材は、複数の分割領域を含み、前記複数の分割領域の各々は、前記複数の経皮吸収促進素子に含まれる一または複数の経皮吸収促進素子と、前記複数の肌状態センサに含まれる一または複数の肌状態センサを含み、前記動作決定部は前記分割領域毎に、当該分割領域に含まれる一または複数の肌状態センサの検出情報に基づいて、当該分割領域に含まれる一または複数の経皮吸収促進素子が吸収促進処理を行うか否かを決定してもよい。
【０１８０】
また、前記シート部材は、前記動作決定部とコネクタおよびケーブルで着脱可能に接続されてもよい。
【０１８１】
また、前記肌状態センサは、前記肌状態センサの近傍の前記肌の色調を検出し、前記動作決定部は、前記複数の肌状態センサの検出結果に基づいて、前記複数の分割領域のうち、前記肌の色が他の領域に比べて濃い領域を判定し、判定された領域に対応する前記分割領域を、前記吸収促進処理を行う前記分割領域に決定してもよい。
【０１８２】
また、前記肌状態センサは、前記肌状態センサの近傍の前記肌の水分量を検出し、前記動作決定部は、前記複数の肌状態センサの検出結果に基づいて、前記複数の分割領域のうち、前記肌の水分量が他の領域に比べて少ない領域を判定し、判定された領域に対応する前記分割領域を、前記吸収促進処理を行う前記分割領域に決定してもよい。
【０１８３】
また、前記シート部材は、前記分割領域毎に複数の発光素子を備え、前記シート部材は、外側面に塗布された美容薬剤を内側面に送り込む孔部、を有し、前記動作決定部は、前記吸収促進処理を行う分割領域に配置された発光素子を発光させてもよい。
【０１８４】
また、前記経皮吸収促進器具は美容薬剤を収容するタンクと、前記タンクに収容された前記美容薬剤を前記シート部材に供給するポンプと、を有し、前記シート部材は、前記ポンプによって供給された前記美容薬剤を前記複数の経皮吸収促進素子のそれぞれに供給するパイプと、前記分割領域毎に、前記パイプによる前記美容薬剤の供給を制御する供給量制御部と、を有し、前記動作決定部は、前記吸収促進処理を行わない前記分割領域に配置された前記供給量制御部に対して、前記美容薬剤の供給を停止させるように指示してもよい。
【０１８５】
また、前記経皮吸収促進器具は前記シート部材に前記分割領域毎に配置され、それぞれ近傍の肌の温度を検出する複数の温度センサ、を有し、前記動作決定部は、前記温度センサの検出値が所定の閾値以上となった分割領域が存在するとき、少なくとも当該分割領域における前記吸収促進処理を停止させてもよい。
【０１８６】
本開示の経皮吸収促進方法は、肌に貼り付けることが可能なシート部材に配置された複数の肌状態センサを用いて、前記複数の肌状態センサの近傍の肌の状態をそれぞれ検出するステップと、前記シート部材に配置された複数の経皮吸収促進素子の各々を、前記複数の経皮吸収促進素子の各々に対応し、かつ、前記複数の肌状態センサに含まれる、一または複数の肌状態センサの検出情報に基づいて動作させるステップを含む。
【産業上の利用可能性】
【０１８７】
本開示の経皮吸収促進装置は、吸収促進処理をより効果的に行うことができる装置等として有用である。
【符号の説明】
【０１８８】
１００、１００ａ  経皮吸収促進器具
２００、２００ａ  シートデバイス
２１０  シート部材
２２０  肌状態センサ
２３０  経皮吸収促進素子
２５０  電極部
２６０  促進補助素子
３００、３００ａ  制御部
３１０  情報格納部
３２０  動作決定部
４１０、４１０ａ、４２０  ケーブル
４１１  コネクタ
５１０  イオントフォレシス回路
５１１  第１のイオントフォレシス素子
５１２  第２のイオントフォレシス素子
５１３  直流電源
５１４  素子制御部
５２１  穴部
５２２  配線
５２３  空間
５２４  孔部
５２５  薬剤保持材
６２０ａ  美容薬剤タンク
６３１  パイプ
６３２  分岐パイプ
６３３  弁
６３４  弁制御部
６４０  肌水分センサ
６４１  レーザダイオード
６４２  フォトディテクタ
６４３  反射板
６４４  波長選択素子
【図１】
2015142718.tif 000003
【図２】
2015142718.tif 000004
【図３】
2015142718.tif 000005
【図４】
2015142718.tif 000006
【図５】
2015142718.tif 000007
【図６】
2015142718.tif 000008
【図７】
2015142718.tif 000009
【図８】
2015142718.tif 000010
【図９】
2015142718.tif 000011
【図１０】
2015142718.tif 000012
【図１１】
2015142718.tif 000013
【図１２】
2015142718.tif 000014
【図１３】
2015142718.tif 000015
【図１４】
2015142718.tif 000016
【図１５】
2015142718.tif 000017